【手続補正書】
【提出日】平成18年9月22日(2006.9.22)
【手続補正１】
【補正対象書類名】明細書
【補正対象項目名】発明の名称
【補正方法】変更
【補正の内容】
【発明の名称】蓄熱体、蓄熱装置および蓄熱装置のリニューアル方法
【手続補正２】
【補正対象書類名】明細書
【補正対象項目名】特許請求の範囲
【補正方法】変更
【補正の内容】
【特許請求の範囲】
【請求項１】  密封性の容器と、上記の密封性の容器内に充填され水和物を生成する水溶液と、上記の密封性の容器内に収容され上記の水溶液の過冷却を防止する微粒子とを具備した蓄熱体であって、前記の容器の姿勢変化または移動により、前記の微粒子が前記の容器内の水溶液中で分散浮遊することを特徴とする蓄熱体。
【請求項２】  密封性の容器と、上記の密封性の容器内に充填され水和物を生成する水溶液と、上記の密封性の容器内に収容され上記の水溶液の過冷却を防止する微粒子とを具備した蓄熱体であって、上記の容器内において上記の水溶液が冷却されて前記の水和物が生成し、水和物スラリが生成されることを特徴とする蓄熱体。
【請求項３】  前記の容器の姿勢変化または移動により、前記の微粒子が前記の容器内の水溶液中で分散浮遊することを特徴とする請求項２に記載の蓄熱体。
【請求項４】  密封性の容器と、上記の密封性の容器内に充填され水和物を生成する水溶液と、上記の密封性の容器内に収容され上記の水溶液の過冷却を防止する微粒子とを具備した蓄熱体であって、上記の水溶液は、テトラｎ−ブチルアンモニウム塩、テトラｉｓｏ−アミルアンモニウム塩、テトラｉｓｏ−ブチルフォスフォニウム塩及びトリｉｓｏ−アミルサルフォニウム塩のいずれかを含んだものであり、上記の微粒子の粒径が１０μｍ以下の微粒子であることを特徴とする蓄熱体。
【請求項５】  前記の水溶液中の微粒子の濃度が０．１ｍｇ／Ｌ以上であることを特徴とする請求項４に記載の蓄熱体。
【請求項６】  密封性の容器と、上記の密封性の容器内に充填され水和物を生成する水溶液と、上記の密封性の容器内に収容され上記の水溶液の過冷却を防止する微粒子とを具備した蓄熱体であって、上記の水溶液は、テトラｎ−ブチルアンモニウム塩、テトラｉｓｏ−アミルアンモニウム塩、テトラｉｓｏ−ブチルフォスフォニウム塩及びトリｉｓｏ−アミルサルフォニウム塩のいずれかを含んだものであり、上記の微粒子の粒径が１００μｍ以下の微粒子であることを特徴とする蓄熱体。
【請求項７】  前記の水溶液中の微粒子の濃度が１ｍｇ／Ｌから５ｇ／Ｌの範囲であることを特徴とする請求項６に記載の蓄熱体。
【請求項８】  前記の容器の姿勢変化または移動により、前記の微粒子が前記の容器内の水溶液中で分散浮遊することを特徴とする請求項４ないし７のいずれかに記載の蓄熱体。
【請求項９】  前記の容器内において前記の水溶液が冷却されて前記の水和物が生成し、水和物スラリが生成されることを特徴とする請求項４ないし８のいずれかに記載の蓄熱体。
【請求項１０】  密封性の容器と、上記の密封性の容器内に充填され水和物を生成する水溶液と、上記の密封性の容器内に収容され上記の水溶液の過冷却を防止する微粒子とを具備した蓄熱体であって、上記の水溶液は、上記の水和物のゲスト化合物を含んだ水道上水又は工業用水であることを特徴とする蓄熱体。
【請求項１１】  前記の容器内において前記の水溶液が冷却されて前記の水和物が生成し、水和物スラリが生成されることを特徴とする請求項１０記載の蓄熱体。
【請求項１２】  冷媒液を貯留する貯留槽と、上記の冷媒液を冷却する冷凍機と、上記の冷媒液中に浸漬された蓄熱体とを備え、上記の蓄熱体は、請求項１ないし１１のいずれかに記載の蓄熱体であることを特徴とする蓄熱装置。
【請求項１３】  前記の冷媒液中で前記の容器の姿勢変化または移動を生じさせる容器駆動手段を備えたことを特徴とする請求項１２に記載の蓄熱装置。
【請求項１４】  冷媒液を貯留する貯留槽と、上記の冷媒液を冷却する冷凍機とを備えた蓄熱装置をリニューアルする方法であって、請求項１ないし１１のいずれかに記載の蓄熱体を、上記の貯留槽内の冷媒液中に投入することを特徴とする蓄熱装置のリニューアル方法。
【請求項１５】  冷媒液を貯留する貯留槽と、上記の冷媒液を冷却する冷凍機とを備えた蓄熱装置をリニューアルする方法であって、冷却することで水和物を生成し過冷却を防止する微粒子を分散させた水溶液を充填したチューブと、上記のチューブ内の水溶液を循環させるポンプを含むユニットとを用意して上記のチューブを上記の貯留槽内の冷媒液中に設置することを特徴とする蓄熱装置のリニューアル方法。
【請求項１６】  前記の水溶液は、上記の水和物のゲスト化合物を含んだ水道上水又は工業用水であることを特徴とする請求項１５記載の蓄熱装置のリニューアル方法。
【手続補正３】
【補正対象書類名】明細書
【補正対象項目名】００１１
【補正方法】変更
【補正の内容】
【００１１】
【課題を解決するための手段】
本発明の第１の形態に係る蓄熱装置は、冷媒液を貯留する貯留槽と、上記の冷媒液を冷却する冷凍機と、上記の冷媒液中に浸漬された蓄熱体とを備え、上記の蓄熱体は密封性の容器と、上記の密封性の容器内に充填され水和物を生成する水溶液と、上記の密封性の容器内に収容され上記の水溶液の過冷却を防止する微粒子とを具備したものである。  
したがって、この水和物の潜熱により大きな蓄熱量が得られる。またこの水和物は、浮遊している密封性の容器の揺動等により、一般に水和物の粒子を生成し、密封性の容器の内部で流動性のある水和物スラリを生成する特性がある。したがって、この水和物スラリの流動性により、水等の冷媒液との熱交換の効率が向上する。このため、この蓄熱体の容器の寸法を大きくでき、貯留槽内に投入する蓄熱体の数が少なくてすみ、製造コストを低減できる。  
また、この容器内には微粒子が封入されており、これら微粒子を核として水和物粒子の生成が促進されるので、水溶液の過冷却が防止される。また、この蓄熱体の容器内の水溶液は、冷媒液中に浮遊する密封性の容器の揺動等の姿勢変化により攪拌されるので、微粒子が沈殿せずに水溶液中に分散浮遊し、過冷却防止の効果が減少することがない。  
また、本発明の第２の形態に係る蓄熱装置は、前記の冷媒液中で上記の容器の姿勢変化または移動を生じさせ、上記の微粒子を上記の容器内で分散させる容器駆動手段を備えたことを特徴とする第１の形態に係る蓄熱装置である。  
したがって、冷媒液の対流等による自然発生的な揺動に頼らず、確実にこの蓄熱体の容器を姿勢変化または移動させることができ、容器内の微粒子を確実に水溶液中に分散浮遊させ、過冷却の発生を確実に防止することができる。
【手続補正４】
【補正対象書類名】明細書
【補正対象項目名】００１２
【補正方法】変更
【補正の内容】
【００１２】
また、本発明の第３の形態に係る蓄熱装置は、前記の容器駆動手段は、前記の貯留槽内の冷媒液を流動させ、この冷媒液の流動により前記の容器の姿勢変化または移動を生じさせる流動機構であることを特徴とする第２の形態に係る蓄熱装置である。よって、常に容器内の水溶液が攪拌され、微粒子が沈殿することがなく、過冷却防止の効果を確実に維持することができる。  
また、本発明の第４の形態に係る蓄熱装置は、前記の容器駆動手段は、上記の貯留槽内の冷媒液中に空気を注入し、この空気の気泡の上昇により前記の容器の姿勢変化または移動を生じさせる空気注入機構であることを特徴とする第２の形態に係る蓄熱装置である。よって、常に容器内の水溶液が攪拌され、微粒子が沈殿することがなく、過冷却防止の効果を確実に維持することができる。  
また、本発明の第５の形態に係る蓄熱装置は、前記の容器駆動手段は、前記の蓄熱体の容器を機械的に姿勢変化または移動させる機械駆動機構であることを特徴とする第２の形態に係る蓄熱装置である。よって、常に容器内の水溶液が攪拌され、微粒子が沈殿することがなく、過冷却防止の効果を確実に維持することができる。  
また、本発明の第６の形態に係る蓄熱装置は、前記の蓄熱体の容器は、前記の貯留槽内の冷媒液中に自由状態で浮遊している第１の形態に係る蓄熱装置である。よって、構造が簡単であるとともに、既存の蓄熱用の水槽等にこれら蓄熱体を投入するだけで簡単に蓄熱量を増大させることができる。  
また、本発明の第７の形態に係る蓄熱装置は、前記の蓄熱体の容器は、前記の貯留槽内で回転自在に支承されていることを特徴とする第１の形態に係る蓄熱装置である。したがって、これら蓄熱体は安定して支持され、信頼性が高い。  
また、本発明の第８の形態に係る蓄熱装置は、前記の蓄熱体の容器の外部には、この容器の姿勢変化または移動を促進する羽根部材が設けられていることを特徴とする第１の形態に係る蓄熱装置である。よって、内部の水溶液の攪拌がより効率的となる。
【手続補正５】
【補正対象書類名】明細書
【補正対象項目名】００１３
【補正方法】変更
【補正の内容】
【００１３】
また、本発明の第９の形態に係る蓄熱装置は、前記の密封性の容器内に充填された水溶液は、その濃度に対応して水和物の生成温度が変化するゲスト化合物を含むことを特徴とする第１の形態に係る蓄熱装置である。  
したがって、この水溶液の濃度を変えることにより、その水和物の生成温度を変え、冷却媒体の蓄熱温度を任意に設定することができる。よって、たとえば水和物の生成温度を高く設定すれば、冷房等の冷却用の冷熱源としてばかりではなく、融雪道路、融雪屋根、寒冷地の凍結防止用の保温倉庫等、加熱用の冷熱源としても使用することができる。
【手続補正６】
【補正対象書類名】明細書
【補正対象項目名】００１４
【補正方法】変更
【補正の内容】
【００１４】
また、本発明の第１０の形態に係る蓄熱装置は、前記の微粒子の粒径が１０μｍ以下であることを特徴とする第１ないし第９のいずれかの形態に係る蓄熱装置である。粒径が１０μｍ以下の微粒子は水溶液中に容易に分散浮遊させることができるので、微粒子を核として水和物粒子の生成が促進され、過冷却を防止する効果が高い。
【手続補正７】
【補正対象書類名】明細書
【補正対象項目名】００１５
【補正方法】変更
【補正の内容】
【００１５】
また、本発明の第１１の形態に係る蓄熱装置は、前記の微粒子の粒径が１０μｍ以下であり、水溶液中の微粒子の濃度が０．１ｍｇ／Ｌ以上であることを特徴とする第１ないし第９のいずれかの形態に係る蓄熱装置である。粒径が１０μｍ以下の微粒子を水溶液中の濃度が０．１ｍｇ／Ｌ以上となるように混入することにより、微粒子は水溶液とよく接触するので、微粒子を核として水和物粒子の生成が促進され、過冷却を防止する効果が高い。
【手続補正８】
【補正対象書類名】明細書
【補正対象項目名】００１６
【補正方法】変更
【補正の内容】
【００１６】
また、本発明の第１２の形態に係る蓄熱装置は、前記の微粒子の粒径が１００μｍ以下であることを特徴とする第１ないし第９のいずれかの形態に係る蓄熱装置である。粒径が１００μｍ以下の微粒子は、微粒子を水溶液中に分散浮遊させる適切な分散機構により容易に分散浮遊させることができるので、微粒子を核として水和物粒子の生成が促進され、過冷却を防止する。
【手続補正９】
【補正対象書類名】明細書
【補正対象項目名】００１７
【補正方法】変更
【補正の内容】
【００１７】
また、本発明の第１３の形態に係る蓄熱装置のリニューアル方法は、冷媒液を貯留する貯留槽と、上記の冷媒液を冷却する冷凍機とを備えた蓄熱装置をリニューアルする方法であって、密封性の容器と、上記の密封性の容器内に充填され冷却することで水和物を生成する水溶液と、上記の密封性の容器内に収容され上記の水溶液の過冷却を防止する微粒子とを具備した蓄熱体を、上記の貯留槽内の冷媒液中に投入することを特徴とするものである。この方法では、水和物の潜熱により大きな蓄熱量を得ることができるので、貯留槽の大きさを変更することなく蓄熱量を増大させることができ、システムの最適運転が可能になる。
【手続補正１０】
【補正対象書類名】明細書
【補正対象項目名】００１８
【補正方法】変更
【補正の内容】
【００１８】
また、本発明の第１４の形態に係る蓄熱装置のリニューアル方法は、冷媒液を貯留する貯留槽と、上記の冷媒液を冷却する冷凍機とを備えた蓄熱装置をリニューアルする方法であって、冷却することで水和物を生成し過冷却を防止する微粒子を分散させた水溶液を充填したチューブおよび上記のチューブ内の水溶液を循環させるポンプを含むユニットを用意して上記のチューブを上記の貯留槽内の冷媒液中に設置することを特徴とするものである。この方法でも、水和物の潜熱により大きな蓄熱量を得ることができるので、貯留槽の大きさを変更することなく蓄熱量を増大させることができ、システムの最適運転が可能になる。
【手続補正１１】
【補正対象書類名】明細書
【補正対象項目名】００１９
【補正方法】変更
【補正の内容】
【００１９】
本発明に係る第１５の形態に係る蓄熱体は、密封性の容器と、上記の密封性の容器内に充填され水和物を生成する水溶液と、上記の密封性の容器内に収容され上記の水溶液の過冷却を防止する微粒子とを具備した蓄熱体であって、前記の容器の姿勢変化または移動により、前記の微粒子が前記の容器内の水溶液中で分散浮遊することを特徴とするものである。
【手続補正１２】
【補正対象書類名】明細書
【補正対象項目名】００２０
【補正方法】変更
【補正の内容】
【００２０】
本発明に係る第１６の形態に係る蓄熱体は、密封性の容器と、上記の密封性の容器内に充填され水和物を生成する水溶液と、上記の密封性の容器内に収容され上記の水溶液の過冷却を防止する微粒子とを具備した蓄熱体であって、上記の容器内において上記の水溶液が冷却されて前記の水和物が生成し、水和物スラリが生成されるものである。  
本発明に係る第１７の形態に係る蓄熱体は、前記の容器の姿勢変化または移動により、前記の微粒子が前記の容器内の水溶液中で分散浮遊することを特徴とする第１６の形態に係る蓄熱体である。
【手続補正１３】
【補正対象書類名】明細書
【補正対象項目名】００２１
【補正方法】変更
【補正の内容】
【００２１】
本発明に係る第１８の形態に係る蓄熱体は、密封性の容器と、上記の密封性の容器内に充填され水和物を生成する水溶液と、上記の密封性の容器内に収容され上記の水溶液の過冷却を防止する微粒子とを具備した蓄熱体であって、上記の水溶液は、テトラｎ−ブチルアンモニウム塩、テトラｉｓｏ−アミルアンモニウム塩、テトラｉｓｏ−ブチルフォスフォニウム塩及びトリｉｓｏ−アミルサルフォニウム塩のいずれかを含んだものであり、上記の微粒子の粒径が１０μｍ以下の微粒子であることを特徴とするものである。 
本発明に係る第１９の形態に係る蓄熱体は、前記の水溶液中の微粒子の濃度が０．１ｍｇ／Ｌ以上であることを特徴とする第１８の形態に係る蓄熱体である。
【手続補正１４】
【補正対象書類名】明細書
【補正対象項目名】００２２
【補正方法】変更
【補正の内容】
【００２２】
本発明に係る第２０の形態に係る蓄熱体は、密封性の容器と、上記の密封性の容器内に充填され水和物を生成する水溶液と、上記の密封性の容器内に収容され上記の水溶液の過冷却を防止する微粒子とを具備した蓄熱体であって、上記の水溶液は、テトラｎ−ブチルアンモニウム塩、テトラｉｓｏ−アミルアンモニウム塩、テトラｉｓｏ−ブチルフォスフォニウム塩及びトリｉｓｏ−アミルサルフォニウム塩のいずれかを含んだものであり、上記の微粒子の粒径が１００μｍ以下の微粒子であることを特徴とするものである。 
本発明に係る第２１の形態に係る蓄熱体は、前記の水溶液中の微粒子の濃度が１ｍｇ／Ｌから５ｇ／Ｌの範囲であることを特徴とする第２０の形態に係る蓄熱体である。
【手続補正１５】
【補正対象書類名】明細書
【補正対象項目名】００２３
【補正方法】変更
【補正の内容】
【００２３】
本発明に係る第２２の形態に係る蓄熱体は、前記の容器の姿勢変化または移動により、前記の微粒子が前記の容器内の水溶液中で分散浮遊することを特徴とする第１８ないし第２１のいずれかの形態に係る蓄熱体である。 
本発明に係る第２３の形態に係る蓄熱体は、前記の容器内において前記の水溶液が冷却されて前記の水和物が生成し、水和物スラリが生成されることを特徴とする第１８ないし第２２のいずれかの形態に係る蓄熱体である。
【手続補正１６】
【補正対象書類名】明細書
【補正対象項目名】００２４
【補正方法】変更
【補正の内容】
【００２４】
本発明に係る第２４の形態に係る蓄熱体は、密封性の容器と、上記の密封性の容器内に充填され水和物を生成する水溶液と、上記の密封性の容器内に収容され上記の水溶液の過冷却を防止する微粒子とを具備した蓄熱体であって、上記の水溶液は、上記の水和物のゲスト化合物を含んだ水道上水又は工業用水であることを特徴とするものである。
【手続補正１７】
【補正対象書類名】明細書
【補正対象項目名】００２５
【補正方法】変更
【補正の内容】
【００２５】
本発明に係る第２５の形態に係る蓄熱体は、前記の容器内において前記の水溶液が冷却されて前記の水和物が生成し、水和物スラリが生成されることを特徴とする第２４の形態に係る蓄熱体である。
【手続補正１８】
【補正対象書類名】明細書
【補正対象項目名】００２６
【補正方法】変更
【補正の内容】
【００２６】
本発明に係る第２６の形態に係る蓄熱装置は、冷媒液を貯留する貯留槽と、上記の冷媒液を冷却する冷凍機と、上記の冷媒液中に浸漬された蓄熱体とを備え、上記の蓄熱体が、第１５ないし第２５の何れかの形態に係るものである。 
本発明に係る第２７の形態に係る蓄熱装置は、前記の冷媒液中で前記の容器の姿勢変化または移動を生じさせる容器駆動手段を備えたことを特徴とする第２６の形態に係る蓄熱装置である。
【手続補正１９】
【補正対象書類名】明細書
【補正対象項目名】００２７
【補正方法】変更
【補正の内容】
【００２７】
本発明に係る第２８の形態に係る蓄熱装置をリニューアルする方法は、冷媒液を貯留する貯留槽と、上記の冷媒液を冷却する冷凍機とを備えた蓄熱装置をリニューアルする方法であって、第１５ないし第２５の何れかの形態に係る蓄熱体を、上記の貯留槽内の冷媒液中に投入することを特徴とするものである。
【手続補正２０】
【補正対象書類名】明細書
【補正対象項目名】００２８
【補正方法】変更
【補正の内容】
【００２８】
本発明に係る第２９の形態に係る蓄熱装置をリニューアルする方法は、前記の水溶液が、上記の水和物のゲスト化合物を含んだ水道上水又は工業用水であることを特徴とする本発明に係る第１４の形態に係るものである。